(57)【要約】【課題】ＧＢＲベアラを用いたＶｏＬＴＥ通信が行われている場合に無線品質の劣化が検出された場合であっても、移動通信端末とＥＰＣとの間でＧＢＲベアラについての状態不一致が発生するという事態を回避する。【解決手段】本発明に係る移動通信方法は、移動通信端末ＵＥとＥＰＣ及びＥ-ＵＴＲＡＮとの間で、ＧＢＲベアラを用いてＶｏＬＴＥ通信を行っている場合に、移動通信端末ＵＥが、ＲＬＦを検出するとＴ３１１を起動し、Ｅ-ＵＴＲＡＮが、ＲＬＦを検出するとＴ３１１に相当するネットワークタイマを起動する工程と、Ｅ-ＵＴＲＡＮが、上述のネットワークタイマの満了を検出すると、移動通信端末ＵＥ用の無線リソースを解放し、ＥＰＣに対して、その旨を通知する工程と、ＥＰＣが、かかる通知に応じてＧＢＲベアラを解放する工程と、移動通信端末ＵＥが、Ｔ３１１の満了を検出するとＧＢＲベアラを解放する工程とを有する。【選択図】図３
2014204397.tif 000002
【特許請求の範囲】
【請求項１】
移動通信端末とコアネットワーク及び無線アクセスネットワークとの間で、ビットレートを保証するように構成されているベアラを用いて音声通信又はビデオ通信を行っている場合に、該移動通信端末が、無線品質の劣化を検出すると所定タイマを起動し、該無線アクセスネットワークが、無線品質の劣化を検出すると、該所定タイマに相当するネットワークタイマを起動する工程と、
前記無線アクセスネットワークが、前記ネットワークタイマの満了を検出すると、前記移動通信端末用の無線リソースを解放し、前記コアネットワークに対して、その旨を通知する工程と、
前記コアネットワークが、前記通知に応じて前記ベアラを解放する工程と、
前記移動通信端末が、前記所定タイマの満了を検出すると前記ベアラを解放する工程とを有することを特徴とする移動通信方法。
【請求項２】
移動通信端末であって、
コアネットワーク及び無線アクセスネットワークとの間で、ビットレートを保証するように構成されているベアラを用いて音声通信又はビデオ通信を行っている場合に、無線品質の劣化を検出すると所定タイマを起動するように構成されている再接続処理管理部と、
前記再接続処理管理部によって前記所定タイマの満了が検出されると、前記ベアラを解放するように構成されているベアラ管理部とを具備していることを特徴とする移動通信端末。
【発明の詳細な説明】
【技術分野】
【０００１】
本発明は、移動通信方法及び移動通信端末に関する。
【背景技術】
【０００２】
ＬＴＥ（Ｌｏｎｇ  Ｔｅｒｍ  Ｅｖｏｌｕｔｉｏｎ）方式において規定されているＶｏＬＴＥ（Ｖｏｉｃｅ  ｏｖｅｒ  ＬＴＥ）方式によって音声通信やビデオ通信を行う場合に、移動通信端末ＵＥとＥＰＣ（Ｅｖｅｌｖｅｄ  Ｐａｃｋｅｔ  Ｃｏｒｅ）との間でデータを送受信するＥＰＳ（Ｅｖｏｌｖｅｄ  Ｐａｃｋｅｔ  Ｓｙｓｔｅｍ）ベアラとして、ＧＢＲ（Ｇｕａｒａｎｔｅｅｄ  Ｂｉｔ  Ｒａｔｅ）ベアラが用いられることが一般的である。
【０００３】
ＧＢＲベアラは、ＱｏＳ（Ｑｕａｌｉｔｙ  ｏｆ  Ｓｅｒｖｉｃｅ）制御によりビットレートを保証するベアラであり、リアルタイム性を伴うサービスに対して用いられるベアラである。
【０００４】
また、３ＧＰＰの仕様では、無線通信における一般的な手順として再接続処理と呼ばれる手順が規定されている。
【０００５】
再接続処理は、通信中の移動通信端末ＵＥが、無線的圏外（無線品質が劣化し、在圏セルにおける通信継続が不可能である状態）を検出した場合に、圏内復帰のためのセルサーチを行い、検出された在圏可能なセルで無線アクセスネットワークとのコネクションの再確立を試みる処理である。
【０００６】
移動通信端末ＵＥは、ＧＢＲベアラを用いたＶｏＬＴＥ通信中にも、無線的圏外を検出した場合に、かかる再接続処理を行うように構成されている。
【０００７】
以下、図７を参照して、従来の移動通信システムにおいて移動通信端末ＵＥがＧＢＲベアラを用いたＶｏＬＴＥ通信を行っている場合に無線品質が劣化した場合の動作について説明する。
【０００８】
図７に示すように、移動通信端末ＵＥは、ステップＳ２０００において、ＧＢＲベアラを用いたＶｏＬＴＥ通信を行っている場合に、ステップＳ２００１において、無線品質の劣化（ＲＬＦ：Ｒａｄｉｏ  Ｌｉｎｋ  Ｆａｉｌｕｒｅ）を検出すると、Ｔ３１１と呼ばれるタイマを起動する。
【０００９】
ここで、Ｔ３１１の値は、Ｅ-ＵＴＲＡＮ（Ｅｖｏｌｖｅｄ-ＵＴＲＡＮ）から移動通信端末ＵＥに対して事前に通知されている。
【００１０】
移動通信端末ＵＥは、Ｔ３１１が満了するまでに在圏可能なセルを見つけることができなかった場合、Ｔ３１１の満了に伴い、ステップＳ２００２において、無線リソースを解放し、ステップＳ２００３において、待受け状態（ＲＲＣ_Ｉｄｌｅ状態）に遷移する。
【００１１】
ただし、移動通信端末ＵＥは、ＶｏＬＴＥ通信で用いられていたＧＢＲベアラについて解放することなく、内部で保持したままにする（ステップＳ２００４参照）。
【００１２】
一方、Ｅ-ＵＴＲＡＮ内の無線基地局ｅＮＢでも同様に、ステップＳ２１０１において、無線品質の劣化を検出すると、Ｔ３１１に相当するネットワークタイマを起動する。
【００１３】
ここで、無線基地局ｅＮＢは、かかるネットワークタイマが満了するまでに移動通信端末ＵＥとの間のコネクションを再確立できなかった場合、かかるネットワークタイマの満了に伴い、ステップＳ２１０２において、移動通信端末ＵＥ用の無線リソースを解放し、ステップＳ２１０３において、その旨をＥＰＣに通知する。
【００１４】
ＥＰＣは、かかる通知を受け、ステップＳ２１０４において、ＶｏＬＴＥ通信で用いられていたＧＢＲベアラを解放し、ステップＳ２１０５において、移動通信端末ＵＥに対してＧＢＲ解放手順を行う。
【先行技術文献】
【非特許文献】
【００１５】
【非特許文献１】３ＧＰＰ  ＴＳ２３.４０１
【非特許文献２】３ＧＰＰ  ＴＳ２４.３０１
【非特許文献３】３ＧＰＰ  ＴＳ３６.３００
【非特許文献４】３ＧＰＰ  ＴＳ３６.３３１
【発明の概要】
【発明が解決しようとする課題】
【００１６】
しかしながら、移動通信端末ＵＥは、Ｔ３１１が満了するまでに在圏可能なセルを見つけることができないような状況では、トンネル内のような圏外エリア（ｏｕｔ  ｏｆ  ｃｏｖｅｒａｇｅ）にはいっていることが想定され、移動通信端末ＵＥと無線基地局ｅＮＢとの間のコネクションの確立が失敗し、上述のＧＢＲ解放手順が失敗する可能性が高い。
【００１７】
したがって、移動通信端末ＵＥが、圏内エリアに入り位置登録処理を実施するまでの間、移動通信端末ＵＥと無線基地局ｅＮＢとの間で、上述のＧＢＲベアラについての状態不一致が生じてしまう（ステップＳ２２０１参照）。
【００１８】
かかる状態不一致が発生すると、ＥＰＣ側では、ＧＢＲベアラが解放され、ＶｏＬＴＥ通信が切断されているにも関わらず、移動通信端末ＵＥは、ＧＢＲベアラを保持して通話を継続していると認識しているため、移動通信端末ＵＥのユーザに対して通話が継続しているという誤解を与えてしまうという問題点があった。
【００１９】
そこで、本発明は、上述の課題に鑑みてなされたものであり、ＧＢＲベアラを用いたＶｏＬＴＥ通信が行われている場合に無線品質の劣化が検出された場合であっても、移動通信端末とＥＰＣとの間でＧＢＲベアラについての状態不一致が発生するという事態を回避することができる移動通信方法及び移動通信端末を提供することを目的とする。
【課題を解決するための手段】
【００２０】
本発明の第１の特徴は、移動通信方法であって、移動通信端末とコアネットワーク及び無線アクセスネットワークとの間で、ビットレートを保証するように構成されているベアラを用いて音声通信又はビデオ通信を行っている場合に、該移動通信端末が、無線品質の劣化を検出すると所定タイマを起動し、該無線アクセスネットワークが、無線品質の劣化を検出すると該所定タイマに相当するネットワークタイマを起動する工程と、前記無線アクセスネットワークが、前記ネットワークタイマの満了を検出すると、前記移動通信端末用の無線リソースを解放し、前記コアネットワークに対して、その旨を通知する工程と、前記コアネットワークが、前記通知に応じて前記ベアラを解放する工程と、前記移動通信端末が、前記所定タイマの満了を検出すると前記ベアラを解放する工程とを有することを要旨とする。
【００２１】
本発明の第２の特徴は、移動通信端末であって、コアネットワーク及び無線アクセスネットワークとの間で、ビットレートを保証するように構成されているベアラを用いて音声通信又はビデオ通信を行っている場合に、無線品質の劣化を検出すると所定タイマを起動するように構成されている再接続処理管理部と、前記再接続処理管理部によって前記所定タイマの満了が検出されると、前記ベアラを解放するように構成されているベアラ管理部とを具備していることを要旨とする。
【発明の効果】
【００２２】
以上説明したように、本発明によれば、ＧＢＲベアラを用いたＶｏＬＴＥ通信が行われている場合に無線品質の劣化が検出された場合であっても、移動通信端末とＥＰＣとの間でＧＢＲベアラについての状態不一致が発生するという事態を回避することができる移動通信方法及び移動通信端末を提供することができる。
【図面の簡単な説明】
【００２３】
【図１】本発明の第１の実施形態に係る移動通信システムの全体構成図である。
【図２】本発明の第１の実施形態に係る移動通信端末の機能ブロック図である。
【図３】本発明の第１の実施形態に係る移動通信システムの動作を示すシーケンス図である。
【図４】本発明の第１の実施形態に係る移動通信端末の動作を示すフローチャートである。
【図５】本発明の第１の実施形態に係る移動通信端末の動作を示すフローチャートである。
【図６】本発明の第１の実施形態に係る移動通信端末の動作を示すフローチャートである。
【図７】従来技術を説明するための図である。
【発明を実施するための形態】
【００２４】
（本発明の第１の実施形態に係る移動通信システム）
図１乃至図６を参照して、本発明の第１の実施形態に係る移動通信システムについて説明する。本実施形態では、本実施形態に係る移動通信システムとして、ＷＣＤＭＡ方式やＬＴＥ方式の移動通信システムを例示して説明するが、本発明は、ＷＣＤＭＡ方式やＬＴＥ方式以外の移動通信システムにも適用可能である。
【００２５】
図１に示すように、本実施形態に係る移動通信システムは、Ｅ-ＵＴＲＡＮと、ＥＰＣと、移動通信端末ＵＥとを具備している。ここで、Ｅ-ＵＴＲＡＮには、無線基地局ｅＮＢが設けられており、ＥＰＣには、ゲートウェイ装置Ｓ-ＧＷ/Ｐ-ＧＷや移動管理ノードＭＭＥが設けられている。
【００２６】
図２に示すように、本実施形態に係る移動通信端末ＵＥは、通信制御部１１と、再接続処理管理部１２と、ＧＢＲベアラ管理部１３と、通話管理部１４とを具備している。
【００２７】
通信制御部１１は、移動通信端末ＵＥの通信制御全般の機能を担うように構成されている。
【００２８】
再接続処理管理部１２は、上述の再接続処理を行うように構成されている。
【００２９】
具体的には、移動通信端末ＵＥが、ＥＰＣ及びＥ-ＵＴＲＡＮとの間で、ＧＢＲベアラを用いてＶｏＬＴＥ通信を行っている場合に、再接続処理部１２は、ＲＬＦを検出するとＴ３１１を起動するように構成されている。
【００３０】
その後、再接続処理部１２は、セルサーチによってＴ３１１が満了するまでに在圏可能なセルを見つけることができなかった場合、Ｔ３１１の満了に伴い、移動通信端末ＵＥを待受け状態（ＲＲＣ_Ｉｄｌｅ状態）に遷移させると共に、ＧＢＲベアラ管理部１３に対して、Ｔ３１１が満了したことを通知するように構成されている。
【００３１】
ＧＢＲベアラ管理部１３は、移動通信端末ＵＥによって用いられているＧＢＲの状態について管理するように構成されている。
【００３２】
例えば、ＧＢＲベアラ管理部１３は、再接続処理管理部１２からＴ３１１が満了した旨の通知を受信すると、該当するＧＢＲベアラを解放するように構成されている。
【００３３】
ここで、ＧＢＲベアラ管理部１３は、通話管理部１４に対して、ＧＢＲベアラを解放した旨の通知を行うように構成されていてもよい。
【００３４】
通話管理部１４は、移動通信端末ＵＥにおける通話が継続されているか否かについて管理するように構成されている。
【００３５】
例えば、通話管理部１４は、上述のＧＢＲベアラ管理部１３からの通知に応じて、移動通信端末ＵＥのユーザに対して、該当するＶｏＬＴＥ通信が切断されたことを通知するように構成されていてもよい。
【００３６】
以下、図３乃至図６を参照して、本実施形態に係る移動通信システムの動作について説明する。
【００３７】
第１に、図３を参照して、本実施形態に係る移動通信システムにおいて移動通信端末ＵＥがＧＢＲベアラを用いたＶｏＬＴＥ通信を行っている場合に無線品質が劣化した場合の動作について説明する。
【００３８】
図３に示すように、移動通信端末ＵＥは、ステップＳ１０００において、ＧＢＲベアラを用いたＶｏＬＴＥ通信を行っている場合に、ステップＳ１００１において、無線品質の劣化（ＲＬＦ）を検出すると、Ｔ３１１を起動する。
【００３９】
移動通信端末ＵＥは、Ｔ３１１が満了するまでに在圏可能なセルを見つけることができなかった場合、Ｔ３１１の満了に伴い、ステップＳ１００２において、無線リソースを解放し、ステップＳ１００３において、待受け状態（ＲＲＣ_Ｉｄｌｅ状態）に遷移し、ステップＳ１００４において、ＥＰＣからの指示の有無に関わらず、自らの判断で、ＶｏＬＴＥ通信で用いられていたＧＢＲベアラについて解放する。
【００４０】
一方、Ｅ-ＵＴＲＡＮ内の無線基地局ｅＮＢでも同様に、ステップＳ１１０１において、無線品質の劣化を検出すると、Ｔ３１１に相当するネットワークタイマを起動する。
【００４１】
無線基地局ｅＮＢは、かかるネットワークタイマが満了するまでに移動通信端末ＵＥとの間のコネクションを再確立できなかった場合、かかるネットワークタイマの満了に伴い、ステップＳ１１０２において、移動通信端末ＵＥ用の無線リソースを解放し、ステップＳ１１０３において、その旨をＥＰＣに対して通知する。
【００４２】
ＥＰＣは、かかる通知に応じて、ステップＳ１１０４において、ＶｏＬＴＥ通信で用いられていたＧＢＲベアラを解放する。
【００４３】
ここで、ＥＰＣは、ステップＳ１１０５において、移動通信端末ＵＥに対してＧＢＲ解放手順を行ってもよいし、かかるＧＢＲ解放手順が失敗する可能性が高いことを考慮して、かかるＧＢＲ解放手順を行わなくてもよい。
【００４４】
第２に、図４を参照して、本実施形態に係る移動通信端末ＵＥの再接続手順管理部１２の動作について説明する。
【００４５】
図４に示すように、再接続手順管理部１２は、ステップＳ１０１において、Ｔ３１１が満了したと判定した場合に、ステップＳ１０２において、ＧＢＲベアラ管理部１３に対して、その旨を通知する。
【００４６】
第３に、図５を参照して、本実施形態に係る移動通信端末ＵＥのＧＢＲベアラ管理部１３の動作について説明する。
【００４７】
図５に示すように、ＧＢＲベアラ管理部１３は、ステップＳ２０１において、再接続手順管理部１２から、上述の通知を受信すると、ステップＳ２０２において、該当するＧＢＲベアラを解放し、ステップＳ２０３において、通話管理部１４に対して、その旨を通知する。
【００４８】
第４に、図６を参照して、本実施形態に係る移動通信端末ＵＥの通話管理部１４の動作について説明する。
【００４９】
図６に示すように、通話管理部１４は、ＧＢＲベアラ管理部１３から、ステップＳ３０１において、上述の通知を受信すると、ステップＳ３０２において、移動通信端末ＵＥのユーザに対して、該当するＶｏＬＴＥ通信が切断されたことを通知する。
【００５０】
以上に述べた本実施形態の特徴は、以下のように表現されていてもよい。
【００５１】
本実施形態の第１の特徴は、移動通信方法であって、移動通信端末ＵＥとＥＰＣ（コアネットワーク）及びＥ-ＵＴＲＡＮ（無線アクセスネットワーク）との間で、ＧＢＲベアラ（ビットレートを保証するように構成されているベアラ）を用いてＶｏＬＴＥ通信（音声通信又はビデオ通信）を行っている場合に、移動通信端末ＵＥが、ＲＬＦを検出すると、Ｔ３１１（所定タイマ）を起動し、Ｅ-ＵＴＲＡＮが、ＲＬＦ（無線品質の劣化）を検出するとＴ３１１に相当するネットワークタイマ（所定ネットワークタイマ）を起動する工程と、Ｅ-ＵＴＲＡＮが、上述のネットワークタイマの満了を検出すると、移動通信端末ＵＥ用の無線リソースを解放し、ＥＰＣに対して、その旨を通知する工程と、ＥＰＣが、かかる通知に応じてＧＢＲベアラを解放する工程と、移動通信端末ＵＥが、Ｔ３１１の満了を検出するとＧＢＲベアラを解放する工程とを有することを要旨とする。
【００５２】
かかる特徴によれば、移動通信端末ＵＥは、在圏可能なセルを見つける前にＴ３１１が満了した場合に、ＥＰＣ側と同様に、ＶｏＬＴＥ通信に用いられていたＧＢＲベアラを自ら解放することができるので、移動通信端末ＵＥとＥＰＣとの間で、かかるＧＢＲベアラについての状態不一致が生じてしまうという問題点を解消することができる。
【００５３】
その結果、ＥＰＣ側では、ＧＢＲベアラが解放され、ＶｏＬＴＥ通信が切断されているにも関わらず、移動通信端末ＵＥは、ＧＢＲベアラを保持して通話を継続していると認識しているため、移動通信端末ＵＥのユーザに対して通話が継続しているという誤解を与えてしまうという問題点についても解消することができる。
【００５４】
本実施形態の第２の特徴は、移動通信端末ＵＥであって、ＥＰＣ及びＥ-ＵＴＲＡＮとの間で、ＧＢＲベアラを用いてＶｏＬＴＥ通信を行っている場合に、ＲＬＦを検出するとＴ３１１を起動するように構成されている再接続処理管理部１２と、再接続処理管理部１２によってＴ３１１の満了が検出されると、ＧＢＲベアラを解放するように構成されているＧＢＲベアラ管理部１３とを具備していることを要旨とする。
【００５５】
かかる特徴によれば、移動通信端末ＵＥのＧＢＲベアラ管理部１３は、在圏可能なセルを見つける前にＴ３１１が満了した場合に、ＥＰＣ側と同様に、ＶｏＬＴＥ通信に用いられていたＧＢＲベアラを自ら解放することができるので、移動通信端末ＵＥとＥＰＣとの間で、かかるＧＢＲベアラについての状態不一致が生じてしまうという問題点を解消することができる。
【００５６】
その結果、ＥＰＣ側では、ＧＢＲベアラが解放され、ＶｏＬＴＥ通信が切断されているにも関わらず、移動通信端末ＵＥは、ＧＢＲベアラを保持して通話を継続していると認識しているため、移動通信端末ＵＥのユーザに対して通話が継続しているという誤解を与えてしまうという問題点についても解消することができる。
【００５７】
なお、上述の移動通信端末ＵＥの動作は、ハードウェアによって実施されてもよいし、プロセッサによって実行されるソフトウェアモジュールによって実施されてもよいし、両者の組み合わせによって実施されてもよい。
【００５８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動通信端末ＵＥ内に設けられていてもよい。また、かかる記憶媒体及びプロセッサは、ディスクリートコンポーネントとして移動通信端末ＵＥ内に設けられていてもよい。
【００６０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６１】
ＵＥ…移動通信端末
１１…通信制御部
１２…再接続処理管理部
１３…ＧＢＲベアラ管理部
１４…通話管理部
【図１】
2014204397.tif 000003
【図２】
2014204397.tif 000004
【図３】
2014204397.tif 000005
【図４】
2014204397.tif 000006
【図５】
2014204397.tif 000007
【図６】
2014204397.tif 000008
【図７】
2014204397.tif 000009